(57)【要約】【課題】本発明が解決しようとする課題は、決済情報を携帯端末で表示させたいとの希望を叶えた商品販売データ処理装置、携帯端末およびプログラムを提供することである。【解決手段】無線通信部と、商品を特定する商品特定情報の入力部と、顧客の携帯端末と無線通信が確立したか否かを判断する判断手段と、前記判断手段が前記携帯端末と無線通信が確立したと判断したことを条件に、前記入力部から入力された商品特定情報に基づく決済情報を前記携帯端末に表示させるための情報を、前記無線通信部から前記携帯端末に無線通信する通信手段と、を備える。【選択図】図７−３
2014167787.tif 000002
【特許請求の範囲】
【請求項１】
無線通信部と、
商品を特定する商品特定情報の入力部と、
顧客の携帯端末と無線通信が確立したか否かを判断する判断手段と、
前記判断手段が前記携帯端末と無線通信が確立したと判断したことを条件に、前記入力部から入力された商品特定情報に基づく決済情報を前記携帯端末に表示させるための情報を、前記無線通信部から前記携帯端末に無線通信する通信手段と、
を備えた商品販売データ処理装置。
【請求項２】
前記入力部から入力された商品特定情報に基づいて決済処理を実行する決済手段、をさらに備え、
前記通信手段は、前記決済手段が決済処理した決済情報を前記無線通信部から前記携帯端末に無線通信する、
請求項１に記載の商品販売データ処理装置。
【請求項３】
前記通信手段は、前記入力部から入力された商品特定情報で特定され、商品の価格を含む商品の商品情報を、前記無線通信部から前記携帯端末に無線通信する、
請求項１に記載の商品販売データ処理装置。
【請求項４】
前記携帯端末を着脱可能に保持する保持部、
を備えた請求項１乃至３にのいずれか一に記載の商品販売データ処理装置。
【請求項５】
無線通信部と、
前記無線通信部から、商品販売データ処理装置から商品の価格を含む商品情報を受信した場合に、当該商品情報に基づいて決済処理を実行する決済処理手段と、
前記決済処理手段によって決済処理が実行された決済情報を前記商品販売データ処理装置に送信する決済情報送信手段と、
を備えた
携帯端末。
【請求項６】
無線通信部と、商品を特定する商品特定情報の入力部と、を備えたコンピュータに、
顧客の携帯端末と無線通信が確立したか否かを判断する判断手段と、
前記判断手段が前記携帯端末と無線通信が確立したと判断したことを条件に、前記入力部から入力された商品特定情報に基づく決済情報を前記携帯端末に表示させるための情報を、前記無線通信部から前記携帯端末に無線通信する通信手段と、
を実現させるためのプログラム。
【発明の詳細な説明】
【技術分野】
【０００１】
本発明の実施形態は、商品販売データ処理装置、携帯端末およびプログラムに関する。
【背景技術】
【０００２】
スーパーマーケットや百貨店等で商品を購入する場合に、商品登録および精算は、ＰＯＳ（Point  of  Sales）端末やレジスタ等の商品販売データ処理装置を使用している。商品販売データ処理装置は、光学的なリーダを備えている。商品販売データ処理装置にて商品を登録するには、商品に付されたバーコードや２次元コード等の商品コードを光学的リーダで読み取り、商品販売データ処理装置は、読み取った商品コードに基づいて商品登録を実行する。商品販売データ処理装置は、商品登録の結果である商品情報や決済情報をレシート用紙に印刷してレシートとして発行する。顧客は、発行されたレシートを受け取り、レシートに印字された商品情報や会計情報のレシート情報を、家計簿等に役立てる。
【０００３】
しかしながら、携帯電話やスマートフォンやタブレットＰＣ等の携帯端末の普及に伴い、顧客からは、これらの携帯端末で決済情報を受け取り、表示させたい、との希望がある。
【発明の概要】
【発明が解決しようとする課題】
【０００４】
本発明が解決しようとする課題は、決済情報を携帯端末で表示させたいとの希望を叶えた商品販売データ処理装置、携帯端末およびプログラムを提供することである。
【課題を解決するための手段】
【０００５】
実施形態の商品販売データ処理装置は、無線通信部と、商品を特定する商品特定情報の入力部と、顧客の携帯端末と無線通信が確立したか否かを判断する判断手段と、前記判断手段が前記携帯端末と無線通信が確立したと判断したことを条件に、前記入力部から入力された商品特定情報に基づく決済情報を前記携帯端末に表示させるための情報を、前記無線通信部から前記携帯端末に無線通信する通信手段と、を備える。
【０００６】
実施形態の携帯端末は、無線通信部と、前記無線通信部から、商品販売データ処理装置から商品の価格を含む商品情報を受信した場合に、当該商品情報に基づいて決済処理を実行する決済処理手段と、前記決済処理手段によって決済処理が実行された決済情報を前記商品販売データ処理装置に送信する決済情報送信手段と、を備える。
【０００７】
実施形態のプログラムは、無線通信部と、商品を特定する商品特定情報の入力部と、を備えたコンピュータに、顧客の携帯端末と無線通信が確立したか否かを判断する判断手段と、前記判断手段が前記携帯端末と無線通信が確立したと判断したことを条件に、前記入力部から入力された商品特定情報に基づく決済情報を前記携帯端末に表示させるための情報を、前記無線通信部から前記携帯端末に無線通信する通信手段と、を実現させる。
【図面の簡単な説明】
【０００８】
【図１】図１は、第１実施形態のＰＯＳ端末を示す斜視図である。
【図２】図２は、携帯端末を載置した状態のＰＯＳ端末を示す斜視図である。
【図３】図３は、ＰＯＳ端末のハードウェア構成を示すブロック図である。
【図４】図４は、携帯端末のハードウェア構成を示すブロック図である。
【図５】図５は、ＰＯＳ端末の機能構成を示す機能ブロック図である。
【図６】図６は、携帯端末の機能構成を示す機能ブロック図である。
【図７−１】図７−１は、ＰＯＳ端末と携帯端末の制御処理の流れを示すフローチャートである。
【図７−２】図７−２は、ＰＯＳ端末と携帯端末の制御処理の流れを示すフローチャートである。
【図７−３】図７−３は、ＰＯＳ端末と携帯端末の制御処理の流れを示すフローチャートである。
【図８】図８は、携帯端末のメニュー画面を示す図である。
【図９−１】図９−１は、第２実施形態のＰＯＳ端末と携帯端末の制御処理の流れを示すフローチャートである。
【図９−２】図９−２は、第２実施形態のＰＯＳ端末と携帯端末の制御処理の流れを示すフローチャートである。
【図９−３】図９−３は、第２実施形態のＰＯＳ端末と携帯端末の制御処理の流れを示すフローチャートである。
【発明を実施するための形態】
【０００９】
以下、図１〜図８を参照して、第１実施形態に係る商品販売データ処理装置、携帯端末およびプログラムを詳細に説明する。商品販売データ処理装置は、例えば、ＰＯＳ端末やレジスタ等である。第１実施形態では、ＰＯＳ端末を商品販売データ処理装置の一例として説明する。なお、以下に説明する第１実施形態により、この発明が限定されるものではない。
【００１０】
図１は、第１実施形態のＰＯＳ端末１の斜視図である。図２は、携帯保持部５に携帯端末７を載置した状態を示すＰＯＳ端末１の斜視図である。図１および図２に示すように、ＰＯＳ端末１は、店舗内に設置されており、携帯端末７を携帯保持部５に着脱自在に載置することが可能である。ＰＯＳ端末１は、顧客が購入する商品について、商品の売上情報を更新する商品登録および顧客が支払った金額に対して決済を実行する。第１実施形態では、ＰＯＳ端末１は、顧客が自身でＰＯＳ端末１を操作するセルフ型ＰＯＳ端末として説明する。なお、ＰＯＳ端末１は、オペレータがＰＯＳ端末１を操作するオペレータ型ＰＯＳ端末であってもよい。
【００１１】
図１および図２において、ＰＯＳ端末１は、本体２と取手３と商品を特定する商品コードの入力部であるコードリーダ４と携帯保持部５と発光部６を有する。本体２は、下部が略直方体形状に形成されている。本体２は、この略直方体形状部に、本体２の立設面に読み取り窓を有するコードリーダ４を内蔵している。本体２は、コードリーダ４より上部側は、本体２の前方から後方に傾斜する傾斜部５１が形成されている。本体２は、傾斜部５１に沿って携帯保持部５を有している。本体２は、携帯保持部５の上側に、傾斜部５１に沿って形成された取手３を有する。
【００１２】
本体２は、ＰＯＳ端末１の回路基板や電源等を内蔵する。取手３はＰＯＳ端末１を運搬するとき等に用いる。コードリーダ４は、ＣＣＤ（Charge  Coupled  Device）イメージセンサを本体２に内蔵する。コードリーダ４は、商品に付されたバーコードや２次元コード等のコードシンボルから商品コードを読み取る。コードリーダ４は、イメージセンサで商品の画像を読み取り、その中に含まれるコードシンボルから商品コードを認識して入力する。なお、コードリーダ４は、レーザー光を照射して、商品のコードで反射して入力した反射光を受光することで光学的に商品コードを読み取るレーザ方式や、撮像した画像から商品コードを読み取る撮像方式等、いろいろな方式のものであってよい。また、コード認識に限らず、物体そのものを特徴量に基づいて認識するオブジェクト認識であってもよい。
【００１３】
携帯端末７は、携帯電話やスマートフォンやタブレットＰＣ等の携帯型のＰＣであればよい。第１実施形態では、タブレットＰＣを携帯端末７の一例として説明する。。携帯保持部５は、本体２の上部に形成された平板状の傾斜部５１と、傾斜部５１の下端部に設けられ、携帯端末７の厚みと略同等か多少大きい間隔を空けて対向した支持部５２を備える。ＰＯＳ端末１は、傾斜部５１で携帯端末７を支えながら傾斜部５１の下端部と支持部５２とで携帯端末７を支持することで、携帯端末７を載置する。
【００１４】
ＰＯＳ端末１の本体２は、傾斜部５１の中心部付近に、近距離無線通信を行う無線通信部であるＮＦＣ（Near  Field  Communication）装置２４を内蔵する。ＮＦＣ装置２４は、携帯端末７をＰＯＳ端末１に載置した状態で、携帯端末７に設けられたＮＦＣ装置３７と近接して対向する位置に設けられている。この状態で、ＰＯＳ端末１と携帯端末７とは、互いのＮＦＣ装置を介して通信を実行する。
【００１５】
ＮＦＣ装置２４は、近距離型の無線通信を実行する。ＮＦＣ装置２４の通信距離は、数センチメートルから数十センチメートル程度である。携帯保持部５に載置された携帯端末７と通信を確立して、ＰＯＳ端末１と携帯端末７との間で情報のやり取りを行う。
【００１６】
発光部６は、コードリーダ４の周りに一周するように輪状に設けられている。発光部６は、透明なアクリル板で形成されており、本体２に内蔵された光源（図示せず）が発光することで輪状のアクリル板全体が発光する。発光部６は、ＰＯＳ端末１が待機状態では青色に発光し、商品登録中は黄色に発光し、決済が無事終了しないときや装置が異常状態のときには赤色に発光する。
【００１７】
携帯端末７は、各種キーや情報を表示する表示部８と、表示部８上に設けられたタッチパネル等で構成された操作部９とを有する。携帯端末７を携帯保持部５に載置した状態で、表示部８は斜め上方向に向いている。顧客は、表示部８に表示されたキーや情報に基づき操作部９を指等でタッチして操作を行う。
【００１８】
図３は、第１実施形態のＰＯＳ端末１のハードウェア構成を示すブロック図である。図３において、ＰＯＳ端末１は、制御主体となるＣＰＵ（Central  Processing  Unit）１１、各種プログラムを記憶するＲＯＭ（Read  Only  Memory）１２、ＣＰＵ１１のワークエリアとして機能する、記憶部であるＲＡＭ（Random  Access  Memory）１３、各種プログラムを記憶するＨＤＤ等で構成されたメモリ部１４等を備える。メモリ部１４は、ＰＯＳ端末１から携帯端末７に送信するアプリケーションソフトを記憶する。このアプリケーションソフトは、携帯端末７にインストールされて起動することで、携帯端末７において、ＰＯＳ端末１と情報の送受信を実行する。ＣＰＵ１１、ＲＯＭ１２、ＲＡＭ１３、メモリ部１４は、互いにデータバス１５を介して接続されている。
【００１９】
ＣＰＵ１１、ＲＯＭ１２、ＲＡＭ１３及びメモリ部１４は、制御部１００を構成する。制御部１００は、ＣＰＵ１１がＲＯＭ１２やメモリ部１４に記憶されＲＡＭ１３に展開されたプログラムに従って動作することによって、後述する制御処理を実行する。
【００２０】
また、データバス１５は、コントローラ２１を介して、コードリーダ４とＮＦＣ装置２４とを接続している。
【００２１】
メモリ部１４は、ＨＤＤ（Hard  Disk  Drive）やフラッシュメモリ等の不揮発性の記憶装置であり、ＰＯＳ端末１を制御する制御プログラムや、商品を特定する商品コードに対応して商品情報（商品の名称、価格等）を記憶する商品マスタ１４１を記憶している。
【００２２】
また、データバス１５は、ＬＡＮＩ／Ｆ（Interface）２２を介してＬＡＮ回線２３に接続している。ＬＡＮ回線２３を介して、他のＰＯＳ端末１や上位機器と接続している。
【００２３】
図４は、携帯端末７のハードウェア構成を示すブロック図である。図４において、携帯端末７は、制御主体となるＣＰＵ３１、各種プログラムを記憶するＲＯＭ３２、ＣＰＵ３１のワークエリアとして機能するＲＡＭ３３、各種プログラムを記憶するＨＤＤ等で構成されたメモリ部３４等を備える。ＣＰＵ３１、ＲＯＭ３２、ＲＡＭ３３、メモリ部３４は、互いにデータバス３５を介して接続されている。
【００２４】
ＣＰＵ３１、ＲＯＭ３２、ＲＡＭ３３およびメモリ部３４は、制御部３００を構成する。制御部３００は、ＣＰＵ３１がＲＯＭ３２やメモリ部３４に記憶されＲＡＭ３３に展開された制御プログラムに従って動作することによって、後述する制御処理を実行する。また、ＲＡＭ３３は、ＰＯＳ端末１で商品コードが読み取られ、ＰＯＳ端末１から送信された商品情報を記憶する商品情報記憶部３３１を有している。メモリ部３４は、フラッシュメモリ等の不揮発性の記憶装置であり、携帯端末７を制御する制御プログラムを記憶している。
【００２５】
また、データバス３５は、表示部８と操作部９をコントローラ３６を介して接続している。また、データバス３５は、コントローラ３６を介して、無線通信部であるＮＦＣ装置３７を接続している。ＮＦＣ装置３７は、上述したＮＦＣ装置２４と同一の機能を有している。
【００２６】
図５は、ＰＯＳ端末１の機能構成を示す機能ブロック図である。ＰＯＳ端末１は、制御部１００がＲＯＭ１２やメモリ部１４に記憶された各種プログラムに従い動作することで、判断手段１０１、通信手段１０２を実現する。
【００２７】
判断手段１０１は、顧客の携帯端末７と無線通信が確立したか否かを判断する機能を有する。
【００２８】
通信手段１０２は、判断手段１０１が携帯端末７と無線通信が確立したと判断したことを条件に、入力部から入力された商品コードに基づく決済情報を携帯端末７に表示させるための情報を、無線通信部から携帯端末７に無線通信する機能を有する。
【００２９】
図６は、携帯端末７の機能構成を示す機能ブロック図である。携帯端末７は、制御部３００がＲＯＭ３２やメモリ部３４に記憶された各種プログラムに従い動作することで、決済処理手段３０１、決済情報送信手段３０２を実現する。
【００３０】
決済処理手段３０１は、無線通信部から、ＰＯＳ端末１から商品の価格を含む商品情報を受信した場合に、当該商品情報に基づいて決済処理を実行する機能を有する。
【００３１】
決済処情報送信手段３０２は、決済処理手段３０１によって決済処理が実行された決済情報をＰＯＳ端末１に送信する機能を有する。
【００３２】
図７−１、図７−２および図７−３は、ＰＯＳ端末１および携帯端末７の制御処理の流れを示すフローチャートである。図７−１、図７−２および図７−３において、ＰＯＳ端末１の制御部１００（判断手段１０１）は、携帯端末７を認識したかを判断する（ステップＳＰ１１）。携帯端末７を携帯保持部５に載置すると、制御部１００がＮＦＣ装置２４を介して携帯端末７のＮＦＣ装置３７と通信し、携帯端末７を認識することで、ＰＯＳ端末１と携帯端末７との無線通信が確立する。携帯端末７を認識したとを判断した場合は（ステップＳＰ１１のＹｅｓ）、制御部１００は、ＮＦＣ装置２４を介して携帯端末７に、携帯端末７を認識した旨の信号を送信する（ステップＳＰ１２）。
【００３３】
携帯端末７の制御部３００は、ＰＯＳ端末１から認識した旨の信号を受信したかを判断する（ステップＳＰ５１）。受信していないと判断した場合は（ステップＳＰ５１のＮｏ）、制御部３００は、ステップＳＰ６０を実行する。受信したと判断した場合は（ステップＳＰ５１のＹｅｓ）、制御部３００は、表示部８にＰＯＳ端末１からアプリケーションソフトを送信してもらうか否かの選択画面を表示する（ステップＳＰ５２）。このアプリケーションソフトは、メモリ部１４に記憶されている。このアプリケーションソフトは、図８で後述するメニュー画面を、携帯端末７の表示部８に表示するソフトウェアである。また、ＰＯＳ端末１から種々の情報を取得するソフトウェアである。さらに、操作者がＰＯＳ端末１に対して決済指示を出すことを可能とするソフトウェアである。
【００３４】
なお、制御部１００が携帯端末７を認識していないと判断した場合は（ステップＳＰ１１のＮｏ）、制御部１００は、携帯端末７を使用しない通常処理を実行する（ステップＳＰ１８）。
【００３５】
顧客は、表示部８の表示画面を見て、アプリケーションソフトの入手の要否を選択する。制御部３００は、アプリケーションソフトの入手の要否が選択されたか否かを判断する（ステップＳＰ５３）。入手不要が選択されたと判断した場合は（ステップＳＰ５３のＮｏ）、制御部３００は、ステップＳＰ６０の処理を実行する。入手が必要であることが選択されたと判断した場合は（ステップＳＰ５３のＹｅｓ）、制御部３００は、必要である旨の信号および当該携帯端末７に記憶している当該顧客の顧客コードを、ＮＦＣ装置３７からＮＦＣ装置２４を介して、ＰＯＳ端末１に送信する（ステップＳＰ５４）。
【００３６】
ＰＯＳ端末１の制御部１００は、携帯端末７から、アプリケーションソフトの入手要の信号を受信したか否かを判断する（ステップＳＰ１３）。入手要の信号を受信していないと判断した場合は（ステップＳＰ１３のＮｏ）、制御部１００はステップＳＰ２１の処理を実行する。入手が必要の信号を受信したと判断した場合は（ステップＳＰ１３のＹｅｓ）、制御部１００は、携帯端末７から受信した顧客の顧客コードの認証処理を実行する（ステップＳＰ１４）。この認証処理は、図示しない上位機器に記憶している顧客情報に基づいて、顧客コードの有無を確認することで顧客を特定できれば認証する。顧客の承認がされたと判断した場合は（ステップＳＰ１５のＹｅｓ）、制御部１００（送信手段１０３）は、アプリケーションソフトを携帯端末７に送信する（ステップＳＰ１６）。認証されなかったと判断した場合は（ステップＳＰ１５のＮｏ）、制御部１００は、認証拒否の信号を携帯端末７に送信する（ステップＳＰ１７）。
【００３７】
携帯端末７の制御部３００は、ＰＯＳ端末１からアプリケーションソフトを受信したかを判断する（ステップＳＰ５５）。受信したと判断した場合は（ステップＳＰ５５のＹｅｓ）、制御部３００は、受信したアプリケーションソフトを携帯端末７のＲＡＭ３３にインストールする（ステップＳＰ５６）。そして制御部３００は、アプリケーションソフトのインストールが完了したかを判断する（ステップＳＰ５７）。インストールが完了するまで待機し（ステップＳＰ５７のＮｏ）、インストールが完了したと判断した場合は（ステップＳＰ５７のＹｅｓ）、制御部３００は、インストールの終了信号をＰＯＳ端末１に送信する（ステップＳＰ５８）。そして制御部３００は、アプリケーションソフトを起動して、図８に示すメニュー画面を表示部８に表示する（ステップＳＰ５９）。
【００３８】
また、制御部３００は、アプリケーションソフトを受信していないと判断した場合は（ステップＳＰ５５のＮｏ）、制御部３００は、次に拒否信号を受信したかを判断する（ステップＳＰ９８）。受信していないと判断した場合は（ステップＳＰ９８のＮｏ）、制御部３００は、アプリケーションソフトの受信を待機する。受信したと判断した場合は（ステップＳＰ９８のＹｅｓ）、制御部３００は、ステップＳＰ６０に進む。
【００３９】
図８は、携帯端末７のメニュー画面を示す図である。図８において、携帯端末７の表示部８は、顧客へのメッセージ４１を表示する。また、表示部８は、商品・情報検索キー４２、オススメキー４３、買い物履歴キー４４、会計キー４５を表示する。
【００４０】
商品・情報検索キー４２を操作すると、選択された商品の製造元や流通経路を特定するトレーサビリティ情報や、選択された商品を使用したレシピ情報を表示する。オススメキー４３を操作すると、顧客コードで特定された顧客の今までの購入履歴を参照して、店舗のお奨め商品等を紹介する情報を表示する。買い物履歴キー４４を操作すると、顧客コードで特定された顧客の過去の買い物履歴を表示する。会計キー４５を操作すると、認証された顧客の商品登録が可能となる。
【００４１】
携帯端末７の制御部３００は、会計キー４５が操作されたか否かを判断する（ステップＳＰ６０）。操作されたと判断した場合（ステップＳＰ６０のＹｅｓ）、制御部３００は、会計キー４５が操作された信号をＰＯＳ端末１に送信する（ステップＳＰ６１）。そして制御部３００は、ステップＳＰ７１の処理を実行する。操作されていないと判断した場合は（ステップＳＰ６０のＮｏ）、制御部３００は次に、商品・情報検索キー４２が操作されたか否かを判断する（ステップＳＰ６２）。操作されたと判断した場合は（ステップＳＰ６２のＹｅｓ）、制御部３００は、商品・情報検索キー４２が操作された信号をＰＯＳ端末１に送信する（ステップＳＰ６３）。そして制御部３００は、ステップＳＰ７１の処理を実行する。
【００４２】
商品・情報検索キー４２が操作されていないと判断した場合は（ステップＳＰ６２のＮｏ）、制御部３００は次に、オススメキー４３が操作されたか否かを判断する（ステップＳＰ６４）。操作されたと判断した場合は（ステップＳＰ６４のＹｅｓ）、制御部３００は、オススメキー４３が操作された信号をＰＯＳ端末１に送信する（ステップＳＰ６５）。そして制御部３００は、ステップＳＰ７１の処理を実行する。操作されていないと判断した場合は（ステップＳＰ６４のＮｏ）、制御部３００は次に、買い物履歴キー４４が操作されたか否かを判断する（ステップＳＰ６６）。操作されたと判断した場合は（ステップＳＰ６６のＹｅｓ）、制御部３００は、買い物履歴キー４４が操作された信号をＰＯＳ端末１に送信する（ステップＳＰ６７）。操作されていないと判断した場合（ステップＳＰ６６のＮｏ）、制御部３００は、ステップＳＰ６８に進む。
【００４３】
ＰＯＳ端末１の制御部１００（判断手段１０１）は、携帯端末７の制御部３００から、ステップＳＰ５８で送信された、アプリケーションソフトのインストールの終了信号を受信したか否かを判断する（ステップＳＰ２１）。受信したと判断した場合は（ステップＳＰ２１のＹｅｓ）、携帯端末７の制御部３００から、ステップＳＰ６１で送信された、会計キー４５が操作された信号を受信したか否かを判断する（ステップＳＰ２２）。受信したと判断した場合は（ステップＳＰ２２のＹｅｓ）、制御部１００は、コードリーダ４でのコードの読み取りを可能とする（ステップＳＰ２３）。そして、コードが読み取り可能である旨の情報を表示させる信号を携帯端末７に送信する（ステップＳＰ２４）。そして、商品に付されたコードを読み取って商品コードの入力があったか否かを判断する（ステップＳＰ２５）。商品コードの入力があったと判断した場合は（ステップＳＰ２５のＹｅｓ）、制御部１００（記憶手段１０４）は、メモリ部１４に記憶されている商品マスタ１４１から当該商品コードに対応する商品情報（商品価格、商品名等）を取得して、当該商品コードとともにＲＡＭ１３に記憶する（ステップＳＰ２６）。そして、制御部１００（通信手段１０２）は、記憶した商品情報を携帯端末７に送信する（ステップＳＰ２７）。なお、商品コードの入力がなかったと判断した場合は（ステップＳＰ２５のＮｏ）、制御部１００は、ステップＳＰ８１の処理を実行する。
【００４４】
制御部３００は、ステップＳＰ２７による商品情報の受信の有無を判断する（ステップＳＰ６８）。受信したと判断した場合は（ステップＳＰ６８のＹｅｓ）、制御部３００は、受信した商品情報をＲＡＭ３３の商品情報記憶部３３１に記憶する（ステップＳＰ６９）。そして記憶した商品情報を表示部８に表示する（ステップＳＰ７０）。そして制御部３００は、ステップＳＰ７１の処理を実行する。商品情報を受信していないと判断した場合は（ステップＳＰ６８のＮｏ）、制御部３００は、ステップＳＰ７１の処理に移る。
【００４５】
なお、ＰＯＳ端末１において、待機時に青色に発光している発光部６は、商品登録時には黄色に発光する。そして、制御部１００は、携帯端末７から図示しない終了キーが操作された信号の受信の有無を判断する（ステップＳＰ２８）。受信したと判断すると（ステップＳＰ２８のＹｅｓ）、制御部１００（通信手段１０２）は、記憶した商品情報と商品の合計金額から求めた決済情報を携帯端末７に送信する（ステップＳＰ８１）。受信していないと判断した場合は（ステップＳＰ２８のＮｏ）、制御部１００は、ステップＳＰ２５に戻って次の商品コードの入力を待機する。決済情報とは、商品情報と合計金額情報に基づいた、購入した商品の名称や金額や合計金額等を含むレシート情報である。
【００４６】
また、会計キー４５が操作されていないと判断した場合は（ステップＳＰ２２のＮｏ）、制御部１００は、ステップＳＰ６３で送信された、商品・情報検索キー４２が操作された信号を受信したか否かを判断する（ステップＳＰ３１）。操作されたと判断した場合は（ステップＳＰ３１のＹｅｓ）、制御部１００は、商品コードの入力があったかを判断する（ステップＳＰ３２）。入力があるまで待機し（ステップＳＰ３２のＮｏ）、商品コードが入力されたと判断した場合は（ステップＳＰ３２のＹｅｓ）、制御部１００は当該商品コードの商品が含まれるレシピ情報やトレーサビリティ情報を上位機器から取得し、携帯端末７に送信する（ステップＳＰ３３）。
【００４７】
また、商品・情報検索キー４２が操作されたのではないと判断した場合は（ステップＳＰ３１のＮｏ）、制御部１００は、ステップＳＰ６５で送信された、オススメキー４３が操作された信号を受信したか否かを判断する（ステップＳＰ３４）。受信したと判断した場合は（ステップＳＰ３４のＹｅｓ）、制御部１００は、顧客コードの顧客に対応したお奨め商品情報を上位機器から取得して、携帯端末７に送信する（ステップＳＰ３５）。
【００４８】
また、オススメキー４３が操作されたのではないと判断した場合は（ステップＳＰ３４のＮｏ）、制御部１００は、ステップＳＰ６７で送信された、買い物履歴キー４４が操作された信号を受信したか否かを判断する（ステップＳＰ３６）。受信したと判断した場合は（ステップＳＰ３６のＹｅｓ）、制御部１００は、顧客コードの顧客に対応したこれまでの買い物履歴情報を上位機器から取得して、携帯端末７に送信する（ステップＳＰ３７）。受信していないと判断した場合は（ステップＳＰ３６のＮｏ）、ステップＳＰ２２に戻る。
【００４９】
一方、制御部１００は、アプリケーションソフトのインストールの終了信号を受信していないと判断した場合は（ステップＳＰ２１のＮｏ）、制御部１００は、この状態で商品コードの入力の有無を判断する（ステップＳＰ４１）。商品コードの入力があったと判断した場合（ステップＳＰ４１のＹｅｓ）、制御部１００は、未だアプリケーションソフトのインストールが終了していないため、コードの読み取りができない旨の情報を携帯端末７に送信する（ステップＳＰ４２）。商品コードの入力がない場合は（ステップＳＰ４１のＮｏ）、制御部１００は、ステップＳＰ８１の処理に移る。
【００５０】
その後、携帯端末７の制御部３００は、ステップＳＰ８１の処理に基づいた決済情報を受信したか否かを判断し（ステップＳＰ７１）、レシピ情報をやトレーサビリティ情報を受信したか否かを判断し（ステップＳＰ９１）、お奨め商品情報を受信したか否かを判断し（ステップＳＰ９３）、買い物履歴情報を受信したか否かを判断する（ステップＳＰ９５）。
【００５１】
決済情報を受信したと判断した場合は（ステップＳＰ７１のＹｅｓ）、制御部３００は、受信した商品情報と決済情報をＲＡＭ３３に記憶する（ステップＳＰ７２）。そして制御部３００は、記憶した商品情報と決済情報を表示部８に表示する（ステップＳＰ７３）。第１実施形態では、購入した商品の商品名、商品価格、合計金額等のレシート情報を表示する。表示された決済情報に基づいて、顧客は、この内容で決済するかを判断し、決済する場合は、表示部８に表示されている決済キー（図示せず）を操作する。制御部３００は、決済キーにより決済が操作されたか否かを判断する（ステップＳＰ７４）。操作されるまで待機し（ステップＳＰ７４のＮｏ）、決済が操作されたと判断した場合は（ステップＳＰ７４のＹｅｓ）、制御部３００は、決済された情報をＰＯＳ端末１に送信する（ステップＳＰ７５）。
【００５２】
ＰＯＳ端末１の制御部１００は、携帯端末７から決済された情報を受信したか否かを判断する（ステップＳＰ８２）。受信したと判断した場合は（ステップＳＰ８２のＹｅｓ）、制御部１００は、ＰＯＳ端末１内で決済の処理を実行する（ステップＳＰ８３）。そして制御部１００は、決済を処理した信号を携帯端末７に送信する（ステップＳＰ８４）。受信していないと判断した場合は（ステップＳＰ８２のＮｏ）、制御部１００は、ステップＳＰ８５に移る。
【００５３】
携帯端末７の制御部３００は、ＰＯＳ端末１から決済処理の信号を受信したか否かを判断する（ステップＳＰ７６）。受信するまで待機し（ステップＳＰ７６のＮｏ）、受信したと判断した場合は（ステップＳＰ７６のＹｅｓ）、制御部３００は、携帯端末７のＲＡＭ３３に記憶されている電子マネー情報に基づき決済処理を実行する（ステップＳＰ７７）。そして決済処理が終了すると、制御部３００は、決済処理が終了した信号をＰＯＳ端末１に送信する（ステップＳＰ７８）。その後、制御部３００は処理を終了する。
【００５４】
ＰＯＳ端末１の制御部１００は、決済処理が終了した信号を受信したか否かを判断する（ステップＳＰ８５）。受信したと判断した場合は（ステップＳＰ８５のＹｅｓ）、制御部１００は、ＰＯＳ端末１での決済処理を終了する（ステップＳＰ８６）。そして終了した決済情報を上位機器に送信する。受信していないと判断した場合は（ステップＳＰ８５のＮｏ）、制御部１００は、処理を終了する。
【００５５】
すべての決済が終了すると、制御部１００は、発光部６の発光色を、黄色から青色に変更する。なお、決済が無事終了していない場合や、決済の終了前に携帯端末７が取り外された場合、その他不正な処理が行われたと判断した場合は、制御部１００は、エラー処理を実行し、発光部６を赤色に発光させる。
【００５６】
また、携帯端末７の制御部３００は、商品情報と決済情報を受信したのではないと判断した場合は（ステップＳＰ７１のＮｏ）、制御部３００は、ステップＳＰ３３に基づくレシピ情報やトレーサビリティー情報を受信したか否かを判断する（ステップＳＰ９１）。受信したと判断した場合は（ステップＳＰ９１のＹｅｓ）、制御部３００は、受信したレシピ情報やトレーサビリティー情報を表示部８に表示する（ステップＳＰ９２）。
【００５７】
レシピ情報の受信ではないと判断した場合（ステップＳＰ９１のＮｏ）、制御部３００は次に、ステップＳＰ３５に基づくお奨め商品情報を受信したか否かを判断する（ステップＳＰ９３）。受信したと判断した場合（ステップＳＰ９３のＹｅｓ）、制御部３００は、受信したお奨め商品情報を表示部８に表示する（ステップＳＰ９４）。
【００５８】
お奨め商品情報の受信ではないと判断した場合（ステップＳＰ９３のＮｏ）、制御部３００は次に、ステップＳＰ３７に基づく買い物履歴情報を受信したか否かを判断する（ステップＳＰ９５）。受信したと判断した場合（ステップＳＰ９５のＹｅｓ）、制御部３００は、受信した買い物履歴情報を表示部８に表示する（ステップＳＰ９６）。
【００５９】
買い物履歴情報の受信ではないと判断した場合は（ステップＳＰ９５のＮｏ）、ステップＳＰ７１に戻る。
【００６０】
なお、第１実施形態において、ＰＯＳ端末１は、顧客コードを受信していない場合、ステップＳＰ１６のアプリケーションの送信の際、会計、オススメ、買い物履歴に関するソフトウェアは送信しない。このため、ステップＳＰ５９での携帯端末７へのメニュー表示の際、オススメキー４３、買い物履歴キー４４、および会計キー４５はグレーアウトしており、操作は不可である。したがって、顧客コードを持たない非会員の場合、商品・情報検索キー４２のみが操作可能である。
【００６１】
また、ステップＳＰ５５で受信してステップＳＰ５６でインストールしたアプリケーションソフトは、携帯端末７がＮＦＣ装置２４の範囲内にあるときのみ起動し、携帯端末７がＮＦＣ装置２４の範囲外にあるときは起動しない。したがって、携帯端末７への各種情報の取得や携帯端末７を用いた商品登録処理は、携帯端末７をＮＦＣ装置２４の範囲内にセットして行う。
【００６２】
しかしながら、ステップＳＰ７１で受信した商品情報と決済情報、ステップＳＰ９１で受信したレシピ情報やトレーサビリティ情報、ステップＳＰ９３で受信したお奨め商品情報、およびステップＳＰ９５で受信した買物履歴情報は、一旦受信すれば、携帯端末７がＮＦＣ装置２４の範囲外にある場合でも表示部８に再度表示させることができる。
【００６３】
このように、第１実施形態によれば、ＰＯＳ端末１から携帯端末７に商品情報や決済情報を送信するため、携帯端末７で商品情報を受け取ることができる。
【００６４】
また、第１実施形態では、携帯端末７と無線通信が確立したと判断した場合にのみ商品情報をＲＡＭ１３に記憶するため、携帯端末７を所有している会員のみが商品登録可能となる。
【００６５】
また、第１実施形態では、携帯端末７を着脱可能に保持することができる。
【００６６】
また、第１実施形態では、携帯端末７の存在を認識した場合に、携帯端末７への決済情報の送信を可能にするアプリケーションソフトを送信するため、自動的に携帯端末７にアプリケーションソフトを送信することができる。
【００６７】
また、第１実施形態では、購入した商品のレシート情報を携帯端末７に送信するため、携帯端末７でレシート情報を受け取ることができる。また受け取ったレシート情報を携帯端末７に表示することができる。
【００６８】
次に、図９−１〜図９−３を参照して、第２実施形態に係る商品販売データ処理装置、携帯端末およびプログラムを詳細に説明する。商品販売データ処理装置は、例えば、ＰＯＳ端末やレジスタ等である。第２実施形態では、ＰＯＳ端末を商品販売データ処理装置の一例として説明する。なお、以下に説明する第２実施形態により、この発明が限定されるものではない。
【００６９】
第２実施形態は、ハードウェア構成は第１実施形態と同じ構成で、図１〜図５、図８の構成を備えており、ここでは説明を省略する。図９−１、図９−２、図９−３は、第２実施形態の制御処理を示すフローチャートである。図９−１、図９−２および図９−３において、ＰＯＳ端末１の制御部１００は、携帯端末７を認識したかを判断する（ステップＳＰ１１１）。携帯端末７を携帯保持部５に載置すると、制御部１００がＮＦＣ装置２４を介して携帯端末７のＮＦＣ装置３７と通信し、携帯端末７を認識することで、ＰＯＳ端末１と携帯端末７との無線通信が確立する。携帯端末７を認識したと判断した場合は（ステップＳＰ１１１のＹｅｓ）、制御部１００は、ＮＦＣ装置２４を介して携帯端末７に、携帯端末７を認識した旨の信号を送信する（ステップＳＰ１１２）。
【００７０】
携帯端末７の制御部３００は、ＰＯＳ端末１から認識した旨の信号を受信したかを判断する（ステップＳＰ１５１）。受信していないと判断した場合は（ステップＳＰ１５１のＮｏ）、制御部３００は、ステップＳＰ１６０を実行する。受信したと判断した場合は（ステップＳＰ１５１のＹｅｓ）、制御部３００は、表示部８にＰＯＳ端末１からアプリケーションソフトを送信してもらうか否かの選択画面を表示する（ステップＳＰ１５２）。このアプリケーションソフトは、メモリ部１４に記憶されている。このアプリケーションソフトは、図８で前述したメニュー画面を、携帯端末７の表示部８に表示するソフトウェアである。また、ＰＯＳ端末１から種々の情報を取得するソフトウェアである。さらに、操作者がＰＯＳ端末１に対して決済指示を出すことを可能とするソフトウェアである。
【００７１】
なお、制御部１００が携帯端末７を認識していないと判断した場合は（ステップＳＰ１１１のＮｏ）、制御部１００は、携帯端末７を使用しない通常処理を実行する（ステップＳＰ１１８）。
【００７２】
顧客は、表示部８の表示画面を見て、アプリケーションソフトの入手の要否を選択する。制御部３００は、アプリケーションソフトの入手の要否が選択されたか否かを判断する（ステップＳＰ１５３）。入手不要が選択されたと判断した場合は（ステップＳＰ１５３のＮｏ）、制御部３００は、ステップＳＰ１６０の処理を実行する。入手が必要であることが選択されたと判断した場合は（ステップＳＰ１５３のＹｅｓ）、制御部３００は、必要である旨の信号および当該携帯端末７に記憶している当該顧客の顧客コードを、ＮＦＣ装置３７からＮＦＣ装置２４を介して、ＰＯＳ端末１に送信する（ステップＳＰ１５４）。
【００７３】
ＰＯＳ端末１の制御部１００は、携帯端末７から、アプリケーションソフトの入手要の信号を受信したか否かを判断する（ステップＳＰ１１３）。入手要の信号を受信していないと判断した場合は（ステップＳＰ１１３のＮｏ）、制御部１００はステップＳＰ１２１の処理を実行する。入手が必要の信号を受信したと判断した場合は（ステップＳＰ１１３のＹｅｓ）、制御部１００は、携帯端末７から受信した顧客の顧客コードの認証処理を実行する（ステップＳＰ１１４）。この認証処理は、図示しない上位機器に記憶している顧客情報に基づいて、顧客コードの有無を確認することで顧客を特定できれば認証する。顧客の承認がされたと判断した場合は（ステップＳＰ１１５のＹｅｓ）、制御部１００（送信手段１０３）は、アプリケーションソフトを携帯端末７に送信する（ステップＳＰ１１６）。認証されなかったと判断した場合は（ステップＳＰ１１５のＮｏ）、制御部１００は、認証拒否の信号を携帯端末７に送信する（ステップＳＰ１１７）。
【００７４】
携帯端末７の制御部３００は、ＰＯＳ端末１からアプリケーションソフトを受信したかを判断する（ステップＳＰ１５５）。受信したと判断した場合は（ステップＳＰ１５５のＹｅｓ）、制御部３００は、受信したアプリケーションソフトを携帯端末７のＲＡＭ３３にインストールする（ステップＳＰ１５６）。そして制御部３００は、アプリケーションソフトのインストールが完了したかを判断する（ステップＳＰ１５７）。インストールが完了するまで待機し（ステップＳＰ１５７のＮｏ）、インストールが完了したと判断した場合は（ステップＳＰ１５７のＹｅｓ）、制御部３００は、インストールの終了信号をＰＯＳ端末１に送信する（ステップＳＰ１５８）。そして制御部３００は、アプリケーションソフトを起動して、図８に示すメニュー画面を表示部８に表示する（ステップＳＰ１５９）。
【００７５】
また、制御部３００は、アプリケーションソフトを受信していないと判断した場合は（ステップＳＰ１５５のＮｏ）、制御部３００は、次に拒否信号を受信したかを判断する（ステップＳＰ１９８）。受信していないと判断した場合は（ステップＳＰ１９８のＮｏ）、制御部３００は、アプリケーションソフトの受信を待機する。受信したと判断した場合は（ステップＳＰ１９８のＹｅｓ）、制御部３００は、ステップＳＰ１６０に進む。
【００７６】
携帯端末７の制御部３００は、会計キー４５が操作されたか否かを判断する（ステップＳＰ１６０）。操作されたと判断した場合（ステップＳＰ１６０のＹｅｓ）、制御部３００は、会計キー４５が操作された信号をＰＯＳ端末１に送信する（ステップＳＰ１６１）。そして制御部３００は、ステップＳＰ１７１の処理を実行する。操作されていないと判断した場合は（ステップＳＰ１６０のＮｏ）、制御部３００は次に、商品・情報検索キー４２が操作されたか否かを判断する（ステップＳＰ１６２）。操作されたと判断した場合は（ステップＳＰ１６２のＹｅｓ）、制御部３００は、商品・情報検索キー４２が操作された信号をＰＯＳ端末１に送信する（ステップＳＰ１６３）。そして制御部３００は、ステップＳＰ１７１の処理を実行する。
【００７７】
商品・情報検索キー４２が操作されていないと判断した場合は（ステップＳＰ１６２のＮｏ）、制御部３００は次に、オススメキー４３が操作されたか否かを判断する（ステップＳＰ１６４）。操作されたと判断した場合は（ステップＳＰ１６４のＹｅｓ）、制御部３００は、オススメキー４３が操作された信号をＰＯＳ端末１に送信する（ステップＳＰ１６５）。そして制御部３００は、ステップＳＰ１７１の処理を実行する。操作されていないと判断した場合は（ステップＳＰ１６４のＮｏ）、制御部３００は次に、買い物履歴キー４４が操作されたか否かを判断する（ステップＳＰ１６６）。操作されたと判断した場合は（ステップＳＰ１６６のＹｅｓ）、制御部３００は、買い物履歴キー４４が操作された信号をＰＯＳ端末１に送信する（ステップＳＰ１６７）。操作されていないと判断した場合（ステップＳＰ１６６のＮｏ）、制御部３００は、ステップＳＰ１６８に進む。
【００７８】
ＰＯＳ端末１の制御部１００（判断手段１０１）は、携帯端末７の制御部３００から、ステップＳＰ１５８で送信された、アプリケーションソフトのインストールの終了信号を受信したか否かを判断する（ステップＳＰ１２１）。受信したと判断した場合は（ステップＳＰ１２１のＹｅｓ）、携帯端末７の制御部３００から、ステップＳＰ１６１で送信された、会計キー４５が操作された信号を受信したか否かを判断する（ステップＳＰ１２２）。受信したと判断した場合は（ステップＳＰ１２２のＹｅｓ）、制御部１００は、コードリーダ４でのコードの読み取りを可能とする（ステップＳＰ１２３）。そして、コードが読み取り可能である旨の情報を表示させる信号を携帯端末７に送信する（ステップＳＰ１２４）。そして、商品に付されたコードを読み取って商品コードの入力があったか否かを判断する（ステップＳＰ１２５）。商品コードの入力があったと判断した場合は（ステップＳＰ１２５のＹｅｓ）、制御部１００（記憶手段１０４）は、上位機器から当該商品コードに対応する商品情報（商品価格、商品名等）を取得して、当該商品コードとともにＲＡＭ１３に記憶する（ステップＳＰ１２６）。そして、制御部１００は、記憶した商品情報を携帯端末７に送信する（ステップＳＰ１２７）。なお、商品コードの入力がなかったと判断した場合は（ステップＳＰ１２５のＮｏ）、制御部１００は、ステップＳＰ１２８の処理に進む。
【００７９】
制御部３００は、ステップＳＰ１２７による商品情報の受信の有無を判断する（ステップＳＰ１６８）。受信したと判断した場合は（ステップＳＰ１６８のＹｅｓ）、制御部３００は、受信した商品情報をＲＡＭ３３の商品情報記憶部３３１に記憶する（ステップＳＰ１６９）。そして記憶した商品情報を表示部８に表示する（ステップＳＰ１７０）。そして制御部３００は、ステップＳＰ１７１の処理を実行する。商品情報を受信していないと判断した場合は（ステップＳＰ１６８のＮｏ）、制御部３００は、ステップＳＰ１７１の処理に移る。
【００８０】
なお、ＰＯＳ端末１において、待機時に青色に発光している発光部６は、商品登録時には黄色に発光する。そして、制御部１００は、携帯端末７から図示しない終了キーが操作された信号の受信の有無を判断する（ステップＳＰ１２８）。受信したと判断すると（ステップＳＰ１２８のＹｅｓ）、制御部１００（通信手段１０２）は、記憶した商品情報と商品の合計金額から求めた決済情報を携帯端末７に送信する（ステップＳＰ１８１）。受信していないと判断した場合は（ステップＳＰ１２８のＮｏ）、制御部１００は、ステップＳＰ１２５に戻って次の商品コードの入力を待機する。決済情報とは、商品情報と合計金額情報に基づいた、購入した商品の名称や金額や合計金額等を含むレシート情報である。
【００８１】
また、会計キー４５が操作されていないと判断した場合は（ステップＳＰ１２２のＮｏ）、制御部１００は、ステップＳＰ１６３で送信された、商品・情報検索キー４２が操作された信号を受信したか否かを判断する（ステップＳＰ１３１）。操作されたと判断した場合は（ステップＳＰ１３１のＹｅｓ）、制御部１００は、商品コードの入力があったかを判断する（ステップＳＰ１３２）。入力があるまで待機し（ステップＳＰ１３２のＮｏ）、商品コードが入力されたと判断した場合は（ステップＳＰ１３２のＹｅｓ）、制御部１００は当該商品コードの商品が含まれるレシピ情報やトレーサビリティ情報を上位機器から取得し、携帯端末７に送信する（ステップＳＰ１３３）。
【００８２】
また、商品・情報検索キー４２が操作されたのではないと判断した場合は（ステップＳＰ１３１のＮｏ）、制御部１００は、ステップＳＰ１６５で送信された、オススメキー４３が操作された信号を受信したか否かを判断する（ステップＳＰ１３４）。受信したと判断した場合は（ステップＳＰ１３４のＹｅｓ）、制御部１００は、顧客コードの顧客に対応したお奨め商品情報を上位機器から取得して、携帯端末７に送信する（ステップＳＰ１３５）。
【００８３】
また、オススメキー４３が操作されたのではないと判断した場合は（ステップＳＰ１３４のＮｏ）、制御部１００は、ステップＳＰ１６７で送信された、買い物履歴キー４４が操作された信号を受信したか否かを判断する（ステップＳＰ１３６）。受信したと判断した場合は（ステップＳＰ１３６のＹｅｓ）、制御部１００は、顧客コードの顧客に対応したこれまでの買い物履歴情報を上位機器から取得して、携帯端末７に送信する（ステップＳＰ１３７）。受信していないと判断した場合は（ステップＳＰ１３６のＮｏ）、ステップＳＰ１２２に戻る。
【００８４】
一方、制御部１００は、アプリケーションソフトのインストールの終了信号を受信していないと判断した場合は（ステップＳＰ１２１のＮｏ）、制御部１００は、この状態で商品コードの入力の有無を判断する（ステップＳＰ１４１）。商品コードの入力があったと判断した場合（ステップＳＰ１４１のＹｅｓ）、制御部１００は、未だアプリケーションソフトのインストールが終了していないため、コードの読み取りができない旨の情報を携帯端末７に送信する（ステップＳＰ１４２）。商品コードの入力がない場合は（ステップＳＰ１４１のＮｏ）、制御部１００は、ステップＳＰ１８１の処理に移る。
【００８５】
その後、携帯端末７の制御部３００は、ステップＳＰ１８１の処理に基づいた決済情報を受信したか否かを判断し（ステップＳＰ１７１）、レシピ情報をやトレーサビリティ情報を受信したか否かを判断し（ステップＳＰ１９１）、お奨め情報を受信したか否かを判断し（ステップＳＰ１９３）、買い物履歴情報を受信したか否かを判断する（ステップＳＰ１９５）。
【００８６】
決済情報を受信したと判断した場合は（ステップＳＰ１７１のＹｅｓ）、制御部３００は、受信した商品情報と決済情報をＲＡＭ３３に記憶する（ステップＳＰ１７２）。そして制御部３００は、記憶した商品情報と決済情報を表示部８に表示する（ステップＳＰ１７３）。第２実施形態では、購入した商品の商品名、商品価格、合計金額等のレシート情報を表示する。表示された決済情報に基づいて、顧客は、この内容で決済するかを判断し、決済する場合は、表示部８に表示されている決済キー（図示せず）を操作する。制御部３００は、決済キーが操作されたか否かを判断する（ステップＳＰ１７４）。操作されるまで待機し（ステップＳＰ１７４のＮｏ）、決済キーが操作されたと判断した場合は（ステップＳＰ１７４のＹｅｓ）、制御部３００は、商品情報記憶部３３１に記憶されている商品情報に基づいて、支払金額を算出する（ステップＳＰ１７５）。すなわち、商品情報記憶部３３１に記憶されている商品情報に基づいて商品の価格を合計して支払うべき支払金額を算出する。
【００８７】
続いて制御部３００（決済処理手段３０１）は、携帯端末７のメモリ部３４に記憶されていて、ＲＡＭ３３に読み出された電子マネー情報から、ステップＳＰ１７５で算出した支払金額を減算する決済処理を実行する（ステップＳＰ１７６）。そして決済処理が終了すると、制御部３００（決済情報送信手段３０２）は、決済処理が終了した信号および決済情報をＰＯＳ端末１に送信する（ステップＳＰ１７７）。そして制御部３００は、処理を終了する。
【００８８】
ＰＯＳ端末１の制御部１００は、決済処理が終了した信号および決済情報を受信したか否かを判断する（ステップＳＰ１８２）。受信したと判断した場合は（ステップＳＰ１８２のＹｅｓ）、制御部１００は、受信した決済情報に基づいて、今回の売上情報を加算して、ＲＡＭ１３に記憶されている売上情報を更新する（ステップＳＰ１８３）。そして制御部１００は、ＰＯＳ端末１での決済処理を終了する（ステップＳＰ１８４）。そして終了した決済情報を上位機器に送信する。決済処理が終了した信号および決済情報を受信していないと判断した場合は（ステップＳＰ１８２のＮｏ）、制御部１００は、処理を終了する。
【００８９】
すべての決済が終了すると、制御部１００は、発光部６の発光色を、黄色から青色に変更する。なお、決済が無事終了していない場合や、決済の終了前に携帯端末７が取り外された場合、その他不正な処理が行われたと判断した場合は、制御部１００は、エラー処理を実行し、発光部６を赤色に発光させる。
【００９０】
また、携帯端末７の制御部３００は、商品情報と決済情報を受信したのではないと判断した場合は（ステップＳＰ１７１のＮｏ）、制御部３００は、ステップＳＰ１３３に基づくレシピ情報やトレーサビリティー情報を受信したか否かを判断する（ステップＳＰ１９１）。受信したと判断した場合は（ステップＳＰ１９１のＹｅｓ）、制御部３００は、受信したレシピ情報やトレーサビリティー情報を表示部８に表示する（ステップＳＰ１９２）。
【００９１】
レシピ情報の受信ではないと判断した場合（ステップＳＰ１９１のＮｏ）、制御部３００は次に、ステップＳＰ１３５に基づくお奨め商品情報を受信したか否かを判断する（ステップＳＰ１９３）。受信したと判断した場合（ステップＳＰ１９３のＹｅｓ）、制御部３００は、受信したお奨め商品情報を表示部８に表示する（ステップＳＰ１９４）。
【００９２】
お奨め商品情報の受信ではないと判断した場合（ステップＳＰ１９３のＮｏ）、制御部３００は次に、ステップＳＰ１３７に基づく買い物履歴の情報を受信したか否かを判断する（ステップＳＰ１９５）。受信したと判断した場合（ステップＳＰ１９５のＹｅｓ）、制御部３００は、受信した買い物履歴情報を表示部８に表示する（ステップＳＰ１９６）。
【００９３】
買い物履歴情報の受信ではないと判断した場合は（ステップＳＰ１９５のＮｏ）、ステップＳＰ１７１に戻る。
【００９４】
このように、第２実施形態によれば、携帯端末７は、商品情報を受信し、受信した商品情報に基づいて決済処理を実行する。そのため、第１実施形態に加え、顧客が、携帯端末７を使用して、決済処理を顧客自身で行うことができる。また、決済処理を携帯端末７で実行することで、ＰＯＳ端末１の負荷を低減することができる。
【００９５】
なお、第１実施形態および第２実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【００９６】
例えば、実施形態では、顧客コードを有する会員のみが携帯端末７を用いて会計処理を実行することができるようにしたが、会員以外の人でも何らかの手段で顧客を特定できれば、顧客コードを持たない非会員でも会計処理が実行できるようにしてもよい。
【００９７】
また、実施形態では、会計処理以外に、商品・情報検索処理やお奨め商品の検索や買い物履歴情報を提供したが、このような機能は必ずしも必要ない。
【００９８】
また、実施形態では、電子マネーを使用して決済処理を実行したが、クレジット等の他の決済処理でも実施可能である。
【００９９】
また、実施形態では、携帯端末７を携帯保持部５にセットして保持したときに、ＰＯＳ端末１が携帯端末７を認識するようにしたが、ＮＦＣ装置２４が有効に機能する範囲内であれば、携帯端末７をＰＯＳ端末１に載置する必要はない。
【０１００】
また、実施形態では、商品マスタ１４１をＰＯＳ端末１のメモリ部１４に設けたが、店舗サーバ等の上位機器に設けてもよい。
【０１０１】
実施形態の商品販売データ処理装置で実行されるプログラムは、インストール可能な形式または実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【０１０２】
また、実施形態の商品販売データ処理装置で実行されるプログラムを、インターネット等のネットワークに接続されたコンピュータ上に格納し、ネットワーク経由でダウンロードさせることにより提供するように構成してもよい。また、実施形態の商品販売データ処理装置で実行されるプログラムをインターネット等のネットワーク経由で提供または配布するように構成してもよい。
【０１０３】
また、実施形態の商品販売データ処理装置で実行されるプログラムを、ＲＯＭ等に予め組み込んで提供するように構成してもよい。
【符号の説明】
【０１０４】
１００  制御部
１０１  判断手段
１０２  通信手段
【先行技術文献】
【特許文献】
【０１０５】
【特許文献１】特開２０１１−０３９７３９号公報
【図１】
2014167787.tif 000003
【図２】
2014167787.tif 000004
【図３】
2014167787.tif 000005
【図４】
2014167787.tif 000006
【図５】
2014167787.tif 000007
【図６】
2014167787.tif 000008
【図７−１】
2014167787.tif 000009
【図７−２】
2014167787.tif 000010
【図７−３】
2014167787.tif 000011
【図８】
2014167787.tif 000012
【図９−１】
2014167787.tif 000013
【図９−２】
2014167787.tif 000014
【図９−３】
2014167787.tif 000015